【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
それぞれが記憶装置を備える、複数の印刷記録材容器の中から所望の印刷記録材容器を識別する印刷記録材容器識別システムであって、
それぞれが前記印刷記録材容器を複数個備える複数の印刷記録材容器グループと、
前記各印刷記録材容器に備えられていると共に、前記各グループ内においてそれぞれが相互に異なる識別情報を格納する記憶装置と、
前記各グループを構成する各印刷記録材容器の記憶装置に対してグループ単位にてバス接続されている複数のデータ信号線と、
前記識別情報を利用して複数の所望の印刷記録材容器を前記印刷記録材容器から選択し、選択された複数の印刷記録材容器の記憶装置に対してそれぞれ異なる前記複数のデータ信号線を用いて情報の読み出しおよび書き込みを実行する情報処理制御手段とを備える印刷記録材容器識別システム。
【請求項２】
それぞれが記憶装置を備える、複数の印刷記録材容器の中から所望の印刷記録材容器を識別する印刷記録材容器識別システムであって、
第１のグループを構成すると共に、それぞれが異なる識別情報を格納する記憶装置を備える複数の印刷記録材容器と、
第２のグループを構成すると共に、それぞれが異なる識別情報を格納する記憶装置を備え、前記第１のグループを構成する印刷記録材容器とは異なる、複数の印刷記録材容器と、
前記第１のグループを構成する各印刷記録材容器の記憶装置に対してバス接続されている第１のデータ信号線と、
前記第２のグループを構成する各印刷記録材容器の記憶装置に対してバス接続されている第２のデータ信号線と、
前記識別情報を用いて前記第１のグループの中から選択した印刷記録材容器の記憶装置に対して前記第１のデータ信号線を介して情報の読み出しおよび書き込みを実行し、前記識別情報を用いて前記第２のグループの中から選択した印刷記録材容器の記憶装置に対して前記第２のデータ信号線を介して情報の読み出しおよび書き込みを実行する情報処理制御手段とを備える印刷記録材容器識別システム。
【請求項３】
請求項２に記載の印刷記録材容器識別システムはさらに、
前記第１及び第２のグループを構成する各印刷記録材容器に対して接続されているクロック信号線を備え、
前記情報処理制御手段は、選択する前記印刷記録材容器の記憶装置に対応する識別情報と、読み書き命令とを含むデータ列とを、前記クロック信号線を流れる同じクロック信号波形に同期させて前記第１のデータ信号線および前記第２のデータ信号線に送出して、前記選択された１または複数の印刷記録材容器の記憶装置に対する情報の読み出しおよび書き込みを実行する印刷記録材容器識別システム。
【請求項４】
請求項３に記載の印刷記録材容器識別システムにおいて、
前記選択された１または複数の印刷記録材容器の記憶装置は、前記送出された読み書き命令に基づいて、格納している情報を前記第１のデータ信号線および前記第２のデータ信号線の少なくともいずれか一方に送出し、または、前記第１のデータ信号線および前記第２のデータ信号線の少なくともいずれか一方に存在する情報を格納する印刷記録材容器識別システム。
【請求項５】
それぞれが記憶装置を備える、複数の印刷記録材容器の中から所望の印刷記録材容器を識別する印刷記録材容器識別システムであって、
第１のグループを構成すると共に、それぞれが異なる識別情報を格納する記憶装置を備える複数の印刷記録材容器と、
第２のグループを構成すると共に、前記第１のグループを構成する各記憶装置に格納されているいずれかの識別情報と同一、または前記第１のグループを構成する各記憶装置に格納されているいずれの識別情報とも異なる識別情報を格納する記憶装置を備える単一の印刷記録材容器と、
前記第１のグループを構成する各印刷記録材容器の記憶装置に対してバス接続されている第１のデータ信号線と、
前記第２のグループを構成する前記印刷記録材容器の記憶装置に対してバス接続されている第２のデータ信号線と、
前記第１のグループの中から前記識別情報を利用して選択された印刷記録材容器の記憶装置に対して前記第１のデータ信号線を用いて情報の読み出しおよび書き込みを実行し、前記第２のグループの中から前記識別情報を利用して選択された印刷記録材容器の記憶装置に対して前記第２のデータ信号線を用いて情報の読み出しおよび書き込みを実行する情報処理制御手段とを備える印刷記録材容器識別システム。
【請求項６】
請求項５に記載の印刷記録材容器識別システムにおいて、
前記第２のグループを構成する印刷記録材容器の記憶装置には、収容する印刷記録材色に関わりなく同一の識別情報が格納されており、
前記記憶装置には、前記識別情報に加えて、前記印刷記録材容器に収容されている印刷記録材色情報が格納されている印刷記録材容器識別システム。
【請求項７】
請求項６に記載の印刷記録材容器識別システムにおいて、
前記第１のグループは４〜６個の印刷記録材容器から構成されている印刷記録材容器識別システム。
【請求項８】
請求項１ないし請求項７のいずれかに記載の印刷記録材容器識別システムにおいて、
前記各記憶装置は、
データを格納する記憶セルと、
前記データ信号線と接続されているデータバスと、
前記クロック信号線を介して入力されたクロック信号に同期してカウンタ値をカウントアップし、前記記憶セルの記憶領域のアクセスすべき位置を指定すると共に、初期化時にはカウンタ値を初期値にリセットするアドレスカウンタと、
前記記憶セルと前記データバスとの間に配置され、前記記憶セルに対するデータ転送方向および前記データバスのデータ転送方向を制御すると共に、初期化時には、前記記憶セルに対するデータ転送方向をデータ読み出し方向に設定し且つ前記データバスとの接続を遮断する入出力制御装置と、
前記データバスに接続されていると共に、前記データバスを介して入力された入力識別情報と前記入出力制御装置を介して読み出した前記記憶セルに格納されている識別情報とが一致するか否かを判定する比較装置と、
前記両識別情報が一致すると判定された場合には前記記憶セルに対するアクセスを許容するアクセス許容装置とを備える
印刷記録材容器識別システム。
【請求項９】
請求項８に記載の印刷記録材容器識別システムにおいて、
前記記憶装置はさらに、
前記データバスおよび前記比較装置と接続されていると共に、前記比較装置から前記入力識別情報と前記記憶セルに格納されている識別情報とが一致するとの判定結果を受け取った場合には、前記データバスを介して入力された書き込み／読み出し命令を解析し、解析結果に基づいて前記入出力制御装置に対して前記データバスのデータ伝送方向の切り換えを要求する命令デコーダを備え、
前記入出力制御装置は、前記命令デコーダによる書き込み／読み出し命令の解析が終了するまで、前記初期化時における前記記憶セルに対するデータ転送方向および前記データバスとの接続遮断状態を維持する
印刷記録材容器識別システム。
【請求項１０】
請求項１ないし請求項７のいずれかに記載の印刷記録材容器識別システムにおいて、
前記記憶装置は、前記印刷記録材容器に収容されているインク種に対応してインク種毎に異なる識別情報を格納する印刷記録材容器識別システム。
【請求項１１】
請求項１０に記載の印刷記録材容器識別システムにおいて、
前記情報処理制御手段は、
クロック信号生成回路と、
前記記憶装置を初期化するリセット信号を生成するリセット信号生成回路と、
前記複数の記憶装置のうち所望の記憶装置の識別情報に対応する識別情報を発行する識別情報発行回路と、
前記生成されたクロック信号に同期させて、前記発行された識別情報、読み書きコマンドを含むデータ列を前記データ信号線に送出するデータ送出回路とを備える印刷記録材容器識別システム。
【請求項１２】
少なくとも内包する印刷記録材に関する情報を記憶する記憶装置が備えられた複数の印刷記録材容器から構成される印刷記録材容器セットであって、
クロック信号を供給するクロック信号線、リセット信号を供給するリセット信号線、および第１のデータ信号線とバス接続され得ると共に、第１の印刷記録材容器群を構成する、異なる識別情報を格納する記憶装置をそれぞれ備える複数の印刷記録材容器と、
前記クロック信号線、前記リセット信号線、および第２のデータ信号線とバス接続され得ると共に、第２の印刷記録材容器群を構成する、異なる識別情報を格納する記憶装置をそれぞれ備える複数の印刷記録材容器とを備える印刷記録材容器セット。
【請求項１３】
クロック信号線、リセット信号線、および第１のデータ信号線とバス接続されていると共に各々が固有の識別情報を保有する複数の不揮発性の記憶装置を備える第１の印刷記録材容器グループと、クロック信号線、リセット信号線、および第２のデータ信号線とバス接続されていると共に各々が固有の識別情報を保有する複数の不揮発性の記憶装置を備える第２の印刷記録材容器グループの中からアクセスを所望する印刷記録材容器を識別する方法であって、
前記リセット信号線に対してリセット信号を出力し、
前記第１の印刷記録材容器グループの中からアクセスを所望する前記印刷記録材容器に備えられている記憶装置に対して、前記第１のデータ信号線を介して、前記固有の識別情報と、読み書き命令とを含むデータ列をクロック信号に同期させて送出し、前記第２の印刷記録材容器グループの中からアクセスを所望する前記印刷記録材容器に備えられている記憶装置に対して、前記第２のデータ信号線を介して、前記固有の識別情報と、読み書き命令とを含むデータ列をクロック信号に同期させて送出する方法。